(57)【要約】【課題】部品点数の削減を図りながら、カード払出機に悪影響を与える虞れがないカード払出装置を提供すること。【解決手段】自動販売機の前面に露出した態様で配設され、販売指令が与えられた場合に押圧操作が有効なものになる払出ボタン部２１と、自動販売機の内部に設置されたカード払出機２８より払い出されたカードを取り出す取出口部２２とを備え、販売指令が与えられた払出ボタン部２１が押圧操作された場合に、カード搬出機２８から払い出されたカードが取出口部２２を通じて取出可能な状態になるカード払出装置２０において、払出ボタン部２１および取出口部２２は同一の化粧枠２４に構成されており、該化粧枠２４には、払出ボタン部２１および取出口部２２のそれぞれとカード払出機２８との間に介在する態様で、払出ボタン部２１および／または取出口部２２を通じて自動販売機の内部に浸入した水を外部に排出する共通の排水構造を設けたものである。【選択図】        図２
2007310598.tif 000002
【特許請求の範囲】
【請求項１】
筐体の前面に露出した態様で配設され、販売指令が与えられた場合に押圧操作が有効なものになる払出ボタン部と、
前記筐体の内部に設置されたカード払出機より払い出されたカードを取り出すための取出口部と
を備え、
前記販売指令が与えられた前記払出ボタン部が押圧操作された場合に、前記カード搬出機から払い出されたカードが前記取出口部を通じて取出可能な状態になるカード払出装置において、
前記払出ボタン部および前記取出口部は同一の化粧枠に構成されており、該化粧枠には、前記払出ボタン部および前記取出口部のそれぞれと前記カード払出機との間に介在する態様で、前記払出ボタン部および／または前記取出口部を通じて前記筐体の内部に浸入した水を該筐体の外部に排出する共通の排水構造を設けたことを特徴とするカード払出装置。
【発明の詳細な説明】
【技術分野】
【０００１】
本発明は、カード払出装置に関し、より詳細には、例えばポイントカード等のカード使用に対応する自動販売機に適用され、販売指令が与えられて払出ボタン部が押圧操作された場合に、カード払出機から払い出されたカードが取出口部を通じて取出可能な状態になるカード払出装置に関するものである。
【背景技術】
【０００２】
従来、ポイントカード等のカード使用に対応する自動販売機が知られている。そのような自動販売機では、前面を構成する外扉にポイントカードの払い出しを要求するための払出ボタン部、並びに利用者がポイントカードを取り出すための取出口部が設けられ、該外扉の後面側、すなわち庫内側に上記取出口部に通じる取出空間および該取出空間に並置されたカード払出機が設けられることによりカード払出装置が構成されている。この種のカード払出装置では、カード払出機の設置にある程度のスペースを要する等により、払出ボタン部と取出口部とは別個の化粧枠に構成されているのが一般的であった（例えば、特許文献１参照）。
【０００３】
【特許文献１】特開２００２−３１２８４１号公報
【発明の開示】
【発明が解決しようとする課題】
【０００４】
ところが、上述したようなカード払出装置では、払出ボタン部と取出口部とが別個の化粧枠に構成されていたために、払出ボタン部および取出口部のそれぞれの構成に要する部品点数が過大となっていた。また、カード払出装置が適用される自動販売機は屋外に設置されるのが一般的であるために、該カード払出装置には外部からの水の浸入を防ぐための構造を有しているが、悪戯による破損等により払出ボタン部の隙間等から自動販売機（筐体）の内部に水が浸入してしまう虞れがあり、このように水が浸入してしまうとカード払出機に悪影響を与える虞れがある。
【０００５】
本発明は、上記実情に鑑みて、部品点数の削減を図りながら、カード払出機に悪影響を与える虞れがないカード払出装置を提供することを目的とする。
【課題を解決するための手段】
【０００６】
上記目的を達成するため、本発明の請求項１に係るカード払出装置は、筐体の前面に露出した態様で配設され、販売指令が与えられた場合に押圧操作が有効なものになる払出ボタン部と、前記筐体の内部に設置されたカード払出機より払い出されたカードを取り出すための取出口部とを備え、前記販売指令が与えられた前記払出ボタン部が押圧操作された場合に、前記カード搬出機から払い出されたカードが前記取出口部を通じて取出可能な状態になるカード払出装置において、前記払出ボタン部および前記取出口部は同一の化粧枠に構成されており、該化粧枠には、前記払出ボタン部および前記取出口部のそれぞれと前記カード払出機との間に介在する態様で、前記払出ボタン部および／または前記取出口部を通じて前記筐体の内部に浸入した水を該筐体の外部に排出する共通の排水構造を設けたことを特徴とする。
【発明の効果】
【０００７】
本発明によれば、払出ボタン部および取出口部が同一の化粧枠に構成されており、該化粧枠には、払出ボタン部および取出口部のそれぞれとカード払出機との間に介在する態様で、払出ボタン部および／または取出口部を通じて筐体の内部に浸入した水を該筐体の外部に排出する共通の排水構造を設けたので、払出ボタン部および取出口部に要する部品の共通化、並びに排水構造に要する部品の共通化を実現でき、これにより部品点数の削減を図ることができる。また、悪戯による破損等により払出ボタン部等から水が筐体の内部に浸入しても、該水を筐体の外部に排出することができるので、カード払出機に悪影響を与える虞れがない。
【発明を実施するための最良の形態】
【０００８】
以下に添付図面を参照して、本発明に係るカード払出装置の好適な実施の形態について詳細に説明する。尚、以下においては、説明の便宜上、自動販売機に適用されるカード払出装置について説明する。
【０００９】
図１は、本発明の実施の形態におけるカード払出装置が適用された自動販売機を示す正面図である。この図１に例示する自動販売機は、例えば缶入り飲料やペットボトル入り飲料の容器入り飲料を商品として販売するもので、本体キャビネット１０および外扉１１を備えて成る筐体である。
【００１０】
本体キャビネット１０は、複数の鋼板を組み合わせることによって構成したもので、前面が開口した断熱構造の箱状を成している。図には明示していないが、この本体キャビネット１０の内部には、商品収納ラックを介して複数の商品が収納してある。
【００１１】
外扉１１は、本体キャビネット１０の前面開口を閉塞するためのもので、開閉可能となる態様で本体キャビネット１０の一側縁部に保持させてある。この外扉１１の前面には、ディスプレイウィンドウ１２、選択ボタン部１３、紙幣挿通口１４、硬貨投入口１５、返却レバー１６、一体表示器１７および商品取出口１８が設けてある。
【００１２】
ディスプレイウィンドウ１２は、商品見本Ｓを外部に視認させるための窓であり、外扉１１の上半部に構成してある。選択ボタン部１３は、利用者が商品を選択するための操作部であり、ディスプレイウィンドウ１２を通じて視認される商品見本Ｓ毎に個別に用意してある。紙幣挿通口１４は、利用者が紙幣を挿入するための開口である。この紙幣挿通口１４は、利用者に対して紙幣を返却する際の紙幣返却口としても機能する。硬貨投入口１５は、利用者が硬貨を投入するための開口である。この硬貨投入口１５から投入した硬貨は、硬貨返却口１９を通じて利用者に返却される。返却レバー１６は、硬貨投入口１５から投入した硬貨、あるいは紙幣挿通口１４から挿入した紙幣を返却する場合に操作するものであり、硬貨投入口１５および紙幣挿通口１４の近傍に配設してある。一体表示器１７は、貨幣の入金額、商品販売中であるか否か、釣り銭があるか否か等々、商品を販売する際に必要となる各種情報を外部に表示するための表示手段である。これら紙幣挿通口１４、硬貨投入口１５、返却レバー１６および一体表示器１７は、ディスプレイウィンドウ１２の下方部に設けてある。商品取出口１８は、払い出された商品を受け取るための開口であり、外扉１１の下端部に設けてある。
【００１３】
また、外扉１１の前面における紙幣挿通口１４の下方部には、払出ボタン部２１および取出口部２２が設けてある。払出ボタン部２１は、取出口部２２とともにカード払出装置２０を構成するものである。この払出ボタン部２１は、図２に示すように、裏面側に位置するボタン固定金２３が図示せぬ固定手段を通じて化粧枠２４の所定個所に固定されることで、該払出ボタン部２１の前面の一部が化粧枠２４の前面に形成された長孔状のボタン開口部２５を通じて前面に露出する態様で該化粧枠２４に設けてある。より詳細には、払出ボタン部２１は、上記ボタン開口部２５と略等しい大きさを有する開口２６ａが形成されたパッキン２６を介在させた状態で、該払出ボタン部２１の前面の一部が該開口２６ａを挿通してボタン開口部２５を通じて前面に露出する態様で該化粧枠２４に設けてある。この払出ボタン部２１の後面の一部は、ボタン固定金２３に形成された矩形の開口２３ａを挿通している。このような払出ボタン部２１は、図示せぬケーブルを通じて自動販売機のコントローラに接続してあり、該コントローラから販売指令が与えられた場合には、利用者による押圧操作を有効なものにする。
【００１４】
取出口部２２は、化粧枠２４の前面におけるボタン開口部２５の下方部に設けてある。この取出口部２２は、例えばポイントカード等のカードが通過するのに十分な大きさを有している。この取出口部２２は、フラッパ２７により開閉されるものである。ここに、フラッパ２７は、図３〜図５に示すように、上端部に形成された軸部２７ａが化粧枠２４の両側壁２４ｂ，２４ｃ間に架設されて、下端部が前後方向に揺動可能に配設してある。このフラッパ２７は、常態においては、図示のように取出口部２２を閉塞する位置にある。また、このフラッパ２７は、図示せぬダンパーによって後方側に向けての揺動速度が制限されている。
【００１５】
また、取出口部２２の後方側には、カード払出機２８が配設してある。より詳細には、化粧枠２４の底壁２４ａ上に載置された態様で配設してある。カード払出機２８は、販売指令が与えられた払出ボタン部２１が利用者により押圧操作された場合に、収容するカードを払出口（図示せず）より前方に向けて払い出すものである。このようにカードが前方に払い出されると、該カードは取出口部２２に後方側より進入して、該カードの前端部がフラッパ２７の裏面に当接して、該フラッパ２７を前方に向けて僅かに揺動させる結果、該カードの前端部が僅かに露出して取出可能な状態になる。これにより、利用者は、フラッパ２７を手動にて前方に揺動させてカードを取り出すことができる。利用者がカードを取り出した後、フラッパ２７は後方に向けて揺動することになるが、その際ダンパーの作用により揺動速度が制限される。
【００１６】
そのようなカード払出装置２０では、次のような排水構造が構成してある。すなわち、図２に示すように、上記ボタン固定金２３を化粧枠２４の天壁２４ｄおよび側壁２４ｂ，２４ｃに接することが可能な大きさにすることにより、払出ボタン部２１とパッキン２６との隙間から浸入した水がボタン固定金２３よりも後方側に浸入することを阻止する堰を形成している。図３および図４に示すように、化粧枠２４のボタン開口部２５の下方部には、固定金の前面が接している空間に連通している複数の角孔部２９を設けている。フラッパ２７の軸部２７ａも該空間に連通している。フラッパ２７の裏面の両側部には、該フラッパ２７の裏面に達した水を流すための溝部（図示せず）を設けている。化粧枠２４とカード払出機２８との間には、浸入した水を下方に流すための樋３０を設けてある。図５に示すように、化粧枠２４の裏面側における取出口部２２の周縁には突起部３１を設けてあるとともに、該取出口部２２の上方部および側方部を囲繞する態様でパッキン３２を配設してあり、これにより、取出口部２２に水が流れることを阻止しながら、下方に水を流すようにしている。化粧枠２４の底壁２４ａの上面には、スペーサ３３を設けて該底壁２４ａの上面とカード払出機２８との間に水が流れることができる流路３４を形成している。また、化粧枠２４の底壁２４ａの裏面には、該流路３４を流れた水が下方に流れるようにしたスリット３５を形成してある。
【００１７】
上記排水構造を有することにより、悪戯等によりパッキン２６が破損等して払出ボタン部２１とパッキン２６との隙間等から水が浸入してもボタン固定金２３が堰として機能して該水が後方側、すなわち自動販売機の内部側に浸入することを防止することができる。ボタン固定金２３でせき止めた水は、該ボタン固定金２３の前面が接する空間に連通する化粧枠２４に設けた角孔部２９を通じて自動販売機の外部に排出することができる。その一方、ボタン固定金２３でせき止めた水は、該ボタン固定金２３の前面が接する空間に連通するフラッパ２７の軸部２７ａを通じて自動販売機の外部に排水することができる。仮に該水がフラッパ２７の裏面側に達しても、溝部を通じて下方に流して自動販売機の外部に排出することができる。また、樋３０により、化粧枠２４とカード払出機２８との間に浸入した水を下方に流すことができ、具体的には、化粧枠２４の裏面側に流すことができる。このように化粧枠２４の裏面側に水が達してもパッキン３２および突起部３１により取出口部２２に水が流れることなく、下方に向けて水を流すことができ、下方に流れた水は、スペーサ３３により形成された流路３４を流れた後、スリット３５を通じて下方に流れ、その後自動販売機の外部に排出することができる。
【００１８】
つまり、上記排水構造は、払出ボタン部２１および取出口部２２のそれぞれと、カード払出機２８との間に介在する態様で、払出ボタン部２１および／または取出口部２２を通じて自動販売機の内部に浸入した水を自動販売機の外部に排出するものである。
【００１９】
以上のようなカード払出装置２０においては、払出ボタン部２１および取出口部２２が同一の化粧枠２４に構成されており、該化粧枠２４には、払出ボタン部２１および取出口部２２のそれぞれとカード払出機２８との間に介在する態様で、払出ボタン部２１および／または取出口部２２を通じて自動販売機の内部に浸入した水を該自動販売機の外部に排出する共通の排水構造を設けたので、払出ボタン部２１および取出口部２２に要する部品の共通化、並びに排水構造に要する部品の共通化を実現でき、これにより部品点数の削減を図ることができる。また、悪戯による破損等により払出ボタン部２１等から水が自動販売機の内部に浸入しても、該水を自動販売機の外部に排出することができるので、カード払出機２８に悪影響を与える虞れがない。
【００２０】
また、上記カード払出装置２０によれば、カード払出機２８を取出口部２２の後方側に配置可能なために従来のものよりも小型化が図られ、これにより、レイアウトの自由度を向上させることができる。
【産業上の利用可能性】
【００２１】
以上のように、本発明に係るカード払出装置は、例えばポイントカード等のカード使用に対応する自動販売機に有用である。
【図面の簡単な説明】
【００２２】
【図１】本発明の実施の形態におけるカード払出装置が適用された自動販売機を示す正面図である。
【図２】本発明の実施の形態におけるカード払出装置の要部を示す分解斜視図である。
【図３】本発明の実施の形態におけるカード払出装置の要部を示す断面側面図である。
【図４】本発明の実施の形態におけるカード払出装置の要部を前方から見た断面斜視図である。
【図５】本発明の実施の形態におけるカード払出装置の要部を後方から見た断面斜視図である。
【符号の説明】
【００２３】
２０      カード払出装置
２１      払出ボタン部
２２      取出口部
２３      ボタン固定金
２４      化粧枠
２８      カード払出機
【図１】
2007310598.tif 000003
【図２】
2007310598.tif 000004
【図３】
2007310598.tif 000005
【図４】
2007310598.tif 000006
【図５】
2007310598.tif 000007